(57)【特許請求の範囲】
【請求項１】
コインを水平方向に一個ずつ払い出すためのディスクと、このディスクの上方に配設されて上記払い出されるコインを収納するための概略筒形のタンク手段と、このタンク手段内において前記ディスクの上方を覆うように当該タンク手段の一側の端壁近くに下向きに傾斜して配置されたコインの遮断板と、前記コインの遮断板によって、その先端と前記タンク手段の他側の端壁との間で形成される側方の開口と、を備え、
前記遮断板は、矩形板であって、その一サイドの両端に枢軸を有し、前記枢軸と反対の他サイドの両端に突起を有し、前記枢軸をタンク手段の前記端壁に枢支し、前記突起を前記タンクの各サイド壁に設けた長孔に貫通し、かつ前記遮断板に対し常時上方へ回動付勢するスプリングを設けて、前記枢軸を中心に前記長孔の範囲内で上下に移動可能な構成の遮断板と成し、その前記遮断板はディスクの重さで前記スプリングに抗し下動し、その前記突起が前記長孔の下端に当接して下げ止まることにより、前記ディスクへのコインの負荷を軽減させるようになるように構成されて設けられ、さらに前記タンク手段内には、当該タンク手段の底部壁を上方に伸びるように貫通し前記遮断板と相対するように配置された攪拌軸と、当該攪拌軸の先端に前記開口を通って前記遮断板の側方に位置すると共に、前記攪拌軸に対して偏心して装着された螺旋状のスクリュウとから構成されたディスク攪拌手段を設けてなることを特徴とするコインホッパ装置。
【発明の詳細な説明】
【０００１】
【発明の属する技術分野】
本発明は小形円板体のコインをバラ積み状態に収納して当該コインを一個ずつ放出するためのホッパ装置に関する。
とくに本発明は多数個のコインをバラ積み状態で収納するための増加タンクを持つコインホッパ装置に関する。
なお本明細書における用語「コイン」には通貨である硬貨ならびにゲーム用のメダルやトークンなどの小形円板体を含むことは勿論である。
【従来の技術】
【０００２】
こうしたコインのホッパ装置は従来から種々のものが知られている。
たとえば本件出願人による特願平１０−１７０４４６号には中形のコインホッパ装置が示されている。
ここで当該ホッパ装置を添付図面の図３を参照しつつ概略的に説明する。
まず図３下方の大きな正方形はコインホッパ装置を構成する一対の脚フレーム１である。
これらの脚フレーム１間の上方には矩形の基板２が水平に固定されている。
図３下方のやや大きな矩形は電気モータ３である。
【０００３】
この電気モータ３は厚手板形のギアボックス４を介在して基板２の下面に取り付けられている。
ギアボックス４は第一の回転軸５と第二の回転軸６とを有している。
第一の回転軸５は基板２のほぼ中央を回転自在に貫通している。
そして回転軸５の先端部にはコインＣを払い出すためのディスク７が取り付けられている。
言い換えるとコインＣの払い出し用のディスク７は基板２の上面に回転自在に配設されている。
【０００４】
図３中央の略台形のものは概略角ラッパ形のタンク８である。
タンク８下方の小さな開口８Ｂは回転自在なディスク７を取り囲んで基板２に取り付けられている。
したがってタンク８は上方に大きな開口９を有することになる。
図３上方のやや大きな矩形のものは角筒形の補助タンク１０である。
この補助タンク１０は其の下方の開口縁部に凹凸形状の噛み込み構造が形成されている。
【０００５】
なおタンク８上方の開口縁部の凹凸形状の噛み込み構造を介在して補助タンク１０下方の開口縁部が固定されている。
補助タンク１０は角筒形の周壁１１と下方開口の半分を封じる傾斜板１２とを備えている。
この矩形の傾斜板１２の三辺は周壁１１内面に連成され残る最も下の一辺が開口の一部を形成している。
したがって補助タンク１０は上方に大きな開口１３を有すると共に下方に小さな開口１４を有している。
【０００６】
なお補助タンク１０の上方開口１３には第二の補助タンク１５が同様にして適宜に取り付けられる。
ギアボックス４の第二の回転軸６は基板２を回転自在に貫通している。
回転軸６の先端部には長手の攪拌軸１６が取り付けられている。なお攪拌軸１６はタンク８の底壁８Ａを回転自在に貫通している。また撹拌軸１６は其の上端がタンク８の開口９近くに位置する長さを有している。また攪拌軸１６の先端部には屈曲されたスプリング１７の一端部が外填めされている。そしてスプリング１７にはやや長いスクリュウ１８の元端部が内嵌されている。
【０００７】
上述の従来例はタンク８ならびに補助タンク１０，１５に多量のコインをバラ積み状態に収納して電気モータ３を駆動する。電気モータ３が回動されると図３の左側に示されるように回転されるディスク７によってコインＣが一個ずつ外に放出される。
他方、攪拌軸１６も回転されてスクリュウ１８は小さな開口１４の上方で逆円錐形に回転する。この結果、多数個のコインＣが重なり合って周壁１１と傾斜板１２との間にコイン・ブリッジが形成されようとしても崩されることになる。
【０００８】
しかしながらタンク８の内底部にコインのブリッジが形成されるという問題点があった。
言い換えるとタンク８内の小さな開口８Ｂを跨いでコイン・ブリッジが形成されるという問題点があった。
具体的にはタンク８内の傾斜した底壁８Ａ、８Ｃ間に多数個のコインによるアーチ形ブリッジが形成されてコインが落下しないという問題点があった。
すなわちタンク８内にコインがあるのに払い出されないという問題点があった。
【発明が解決しようとする課題】
【０００９】
本発明の目的はコインをコンスタントに切れ目なく言い換えると中断することなくスムーズに放出できるホッパ装置の提供にある。
言い換えると本発明の目的はタンク内下方の払い出し用のディスクを跨いでコイン・ブリッジが形成されるのを未然に防止することにある。
具体的には本発明はタンク内の傾斜した底壁に多数個のコインによるアーチ形ブリッジが形成されてコインが落下しないという問題を解消することにある。
【課題を解決するための手段】
【００１０】
本発明は、コインを水平方向に一個ずつ払い出すためのディスクと、このディスクの上方に配設されて上記払い出されるコインを収納するための概略筒形のタンク手段と、このタンク手段内において前記ディスクの上方を覆うように当該タンク手段の一側の端壁近くに下向きに傾斜して配置されたコインの遮断板と、前記コインの遮断板によって、その先端と前記タンク手段の他側の端壁との間で形成される側方の開口と、を備え、
前記遮断板は、矩形板であって、その一サイドの両端に枢軸を有し、前記枢軸と反対の他サイドの両端に突起を有し、前記枢軸をタンク手段の前記端壁に枢支し、前記突起を前記タンクの各サイド壁に設けた長孔に貫通し、かつ前記遮断板に対し常時上方へ回動付勢するスプリングを設けて、前記枢軸を中心に前記長孔の範囲内で上下に移動可能な構成の遮断板と成し、その前記遮断板はディスクの重さで前記スプリングに抗し下動し、その前記突起が前記長孔の下端に当接して下げ止まることにより、前記ディスクへのコインの負荷を軽減させるようになるように構成されて設けられ、さらに前記タンク手段内には、前記タンク手段の底部壁を上方に伸びるように貫通し前記遮断板と相対するように配置された攪拌軸と、当該攪拌軸の先端に前記開口を通って前記遮断板の側方に位置すると共に、前記攪拌軸に対して偏心して装着された螺旋状のスクリュウとから構成されたディスク攪拌手段を設けてなることを特徴とするコインホッパ装置である。
【００１１】
また本発明は、前記遮断手段が矩形板であることを特徴としたコインホッパ装置である。
【発明の実施の形態】
以下に本発明を其の実施に基づいて添付の図面を参照しつつ説明する。図１は本発明による一実施例を概略的に示した側面図である。図２は図１の要部を拡大して示す斜面図である。図１と従来例の図３との比較から明らかなように本実施例は透明なタンク８の中にコインの遮断板２１を配設している。
【００１２】
遮断板２１は金属製あるいは樹脂製の矩形板からなる（図２を参照）。そして遮断板２１のーサイドの各角部には枢軸２２が突出して形成されている。また遮断板２１の他サイドの各隅部には突起２３がそれぞれ形成されている。コインの遮断板２１はディスク７のほぼ半分を覆うようにタンク８内の上方に配設される。
たとえば図１の場合はタンク８左側の端壁近くに遮断板２１が配設されている。すなわちタンク８上方の大きな開口９の縁部に一対の開口が形成されて当該開口に枢軸２２がそれぞれ回転可能に嵌入されている。
【００１３】
そしてタンク８の各サイド壁に長孔２４がそれぞれ形成されて遮断板２１の突起２３が移動可能に貫通されている。さらに枢軸２２下方のタンク８壁には一対のフック２５がそれぞれ外側に突出して形成されている。フック２５と突起２３には長手のスプリング２６がそれぞれ掛け渡されている。なお図１上方のやや大きな矩形のものはタンク３１である。この角筒形のタンク３１はコインの収納量を増加するためのものである。このタンク３１は其の下方の開口縁部に凹凸の噛み込み構造が形成されている。
【００１４】
タンク８上方の開口縁部の凹凸の噛み込み構造を介在して増加タンク３１下方の開口縁部が固定されている。
上述の構成からなる本実施例は先ずタンク８ならびに増加タンク３１内に多量のコインがバラ積み状態で収納される。多数個のコインがタンク８，３１内に収納されると遮断板２１はコインの重みによりスプリング２６に抗して図１の一点鎖線の位置に移動される。このとき遮断板２１の下方にはコインの無い空間が形成されることになる。
【００１５】
言い換えると遮断板２１下方のディスク７にはコインの重さ負荷が部分的に影響しないことになる。
この状態で電気モータ３が回動されると回転されるディスク７によってコインＣが一個ずつ当該ホッパ装置から外に放出される（図１左側を参照）。
かくして遮断板２１によってディスク７に対するコインの量が制限されるためコインＣの放出がスムーズになる。
すなわちディスク７の上のコイン量が制限されるためタンク８内の底壁８Ａ、８Ｃ間に多数のコインによるアーチ形ブリッジが形成されないことになる。
【００１６】
加えて遮断板２１は枢軸２２を中心に長孔２４の範囲内を移動可能であるため底壁８Ｃとの間にはコイン・ブリッジが形成されないことになる。
さらに遮断板２１が移動可能であるためディスク７の回動と其の上のコイン群とによる衝撃があっても当該遮断板２１は吸収することになる。
この場合、遮断板２１に大きな衝撃があってもスプリング２６があるため其の衝撃が簡単に吸収されることになる。
他方、ギアボックス４を介在して撹拌軸１６が回転されるとスクリュウ１８は開口９の右側上方で逆円錐形の回転をすることになる。
【００１７】
したがって遮断板２１とタンク８，３１の周壁との間にコイン・ブリッジが形成されようとしても攪拌軸１６，スクリュウ１８によって崩されることになる。
これらの結果、当該コインホッパ装置はコンスタントに切れ目なく言い換えると中断することなくスムーズにコインを放出できることになる。
【発明の効果】
以上のようになる本発明は簡単な構成の付加によってコインタンクの内底にあるディスクの上方にコインブリッジが形成されるのを未然に防止できることになる。このため本発明のコインホッパ装置によると多数個のコインが切れ目無くコンスタントに放出できるという大きな効果が得られる。
【図面の簡単な説明】
【図１】図１は本発明による一実施例を概略的に示す側面図である。
【図２】図２は図１の要部を拡大して示す斜面図である。
【図３】図３は従来例を示す概略的な側面図である。
【符号の説明】
Ｃ：コイン、
払い出し手段・・・
３：電気モータ、
４：ギアボックス、
７：ディスク、
タンク手段・・・
８：タンク、
８Ａ：底壁、
８Ｃ：底壁、
遮断手段・・・
２１：遮断板、
２２：枢軸、
２６：スプリング。
【図１】
0004273541.tif 000002
【図２】
0004273541.tif 000003
【図３】
0004273541.tif 000004